(57)【要約】【課題】  夜でも使用し得るポスター。【解決手段】公職選挙法で禁止している蛍光体を使用せず、昼間太陽エネルギを受け、夜ヘッドライト等のエネルギを受け、エネルギを蓄積し、夜間又は暗所で所定部分が発光するように構成することを特徴とする。【選択図】    図３
2014106430.tif 000002
【特許請求の範囲】
【請求項１】
公職選挙法ポスターの規格に合致する条件を備え、蛍光体のごとき発光体を用いず、太陽エネルギや車のヘッドライト等のエネルギを吸収し、夜間又は暗所で所定部分が発光することを特徴とするソーラーポスター。
【発明の詳細な説明】
【技術分野】
【０００１】
本発明は公職選挙法に合致し、且つ日没後も見えるようにしたポスターに関する。
【背景技術】
【０００２】
従来の選挙用ポスターは、日没後は見ることができなかった。
【発明の概要】
【発明が解決しようとする課題】
【０００３】
前述したように、公知のポスターは日没後は見ることができないので、日没後も見えるようにする。
本発明はこのような課題に鑑みてなされたものであって、夜でも候補者の氏名等を読み取ることができるようにしたポスターを提供することを目的としている。
【課題を解決するための手段】
【０００４】
１．公職選挙法ポスターの規格に合致する条件を備え、蛍光体のごとき発光体を用いずに、太陽エネルギ又は車のヘッドライト等のエネルギを吸収し、夜間又は暗所で所定部分が発光することを特徴とする。
２．更に詳しくは、インクで垣根を形成して穴を形成し、ＵＶインク使用の場合はＵＶ光を照射して前記ＵＶインクの垣根を固め、前記穴の中に畜エネルギ体を埋め込むことによりなることを特徴とする。
【発明の効果】
【０００５】
本発明は、公職選挙法に抵触することなく形成され、暗所や夜でも候補者の氏名や要点が読み取れるので、他の候補者の名前は見えないのに、本ポスター候補者のみの名前が見え、候補者の氏名を記憶に残すことができ、当選確率が上がる効果がある。
【図面の簡単な説明】
【０００６】
【図１】本発明のポスター製造の第１工程の断面を示す図
【図２】本発明のポスター製造の第２工程の断面を示す図
【図３】本発明のポスター製造の第３工程の断面を示す図
【図４】ＰＳＡとリリースライナを設けた本発明の第２の実施例を示す断面図
【図５】本発明の第３の実施例を示す断面図
【図６】本発明を選挙ポスターの文字に用いた第４の実施例
【図７】本発明を選挙ポスターの人物に用いた第５の実施例
【図８】本発明を選挙ポスターの人物の目に用いた第６の実施例
【発明を実施するための形態】
【０００７】
以下、図面を参照して本発明の実施例を詳細に説明する。図1は本発明のポスター製造の第１工程の断面を示す図である。このポスターは公職選挙法の規格に合うポスターである。図において、３は基材で、例えばユポが用いられる。ユポの材質はプラスチックで、防水性がある。４，５は多色を重ねたカラー印刷インク層である。該カラー印刷インクはユポの場合、ＵＶインクが用いられる。６はカラー印刷インク層４，５が垣根を形成し、ユポの地６が表面に出ている穴１２を形成する。
図２は本発明製造第２工程で、第１図の第１工程のものの上からＵＶ光１４を照射してＵＶインク４，５の垣根を固着させる。
【０００８】
図３は本発明製造第３工程で前記穴１２に、図３で示すようにシルクスクリーン法で蓄エネルギ体７を埋め込む。蓄エネルギ体７とは、エネルギをその体内に蓄える性質を持つもので、硫化亜鉛系やアルミン酸系ストロンチウムや希土類のテルビウムが用いられ、吸収して蓄えたエネルギを光として放出する物質である。この蓄エネルギ体７で候補者の名前等を形成する。この結果、昼間に太陽光、夜に車のヘッドライト等でエネルギがポスターに照射され、蓄積された蓄エネルギ体７は、夜になれば前記蓄積されたエネルギで発光し、候補者の氏名等が浮き上がって見える。このため、夜間その候補者の氏名しか見えないので他の候補者より優位に立ち当選の確率が上がる。
【０００９】
図４は本発明の他の実施例を示す断面図である。図２と同一のものは、同一の符号を付して示す。図において、基材３の片側に感圧性接着材（ＰＳＡ）８，リリースライナー９を設けたものである。このリリースライナー９にスリット１０が入っている。このスリット１０は掲示板等にポスターを貼る時に、そのスリット１０からリリースイナー９の一部を剥がして接着面８の一部をむき出しにして掲示板に位置決めして貼り、次に残りのリリースライナー９を剥がして掲示板にポスター全面を貼る。このやり方により、ポスターをしわなく、速く要領よく掲示板に貼ることができる。
【００１０】
図５は本発明の他の実施例を示す断面図である。この実施例は、基材をユポではなく、アート紙などの紙１３を使用した場合で、防水のため蓄エネルギ体７やインク４，５が雨のために流れ落ちたり、汚れたりしないように、蓄エネルギ体７の表面を含め、ポスター全体をｐｐフィルムラミネート又はｐｐコート１１を行う。この実施例は、透明体１１によりポスター面が雨で濡れることはないので、高価なユポの代わりに安いアート紙を用い、野外ポスターとしても使用し得るようにしたものである。
【００１１】
図６は本発明を選挙用のポスター２に適用した具体例を示す図である。１は蓄エネルギ体７でシルク印刷された候補者の氏名である。この候補者の氏名を前記プロセスにより蓄エネルギ体でシルクスクリーン印刷する。その他の部分は前記４，５の印刷部である。このような構成にすると、夜になっても候補者の氏名のみがはっきりと浮き上がって見えるので、このポスターの氏名を見る人に強く印象づけることができる。
【００１２】
図７は本発明を選挙ポスター２に適用した他の実施例を示す図である。この実施例は、氏名と候補者の顔を通常の印刷にし、人物のバックを蓄エネルギ体７にしたものである。周囲が光るので、周囲に囲まれた氏名や顔が暗い闇でも認識でき、強く印象づけることができる。
【００１３】
図８は本発明を選挙ポスターに適用した他の例を示す図である。この実施例は、候補者の目に蓄エネルギ体７を入れたものである。この実施例によれば、候補者の目が夜間に光って見えるので、候補者のポスターを強く印象づけることができる。
上述の実施例では、本発明を選挙ポスターに適用した場合を例にとって説明したが、本発明はこれに限るものではない。例えばコンサートや各種のイベントの勧誘を行う場合にも同様に用いることができる。このような選挙用ポスターやポスター以外も本発明に含まれる。
【００１４】
なお、本発明の特徴は公職選挙法ポスターの規定に合致し、蛍光体など発光体を用いずに夜間に発光するポスターである。
【産業上の利用可能性】
【００１５】
本発明は、選挙ポスターやコンサートや各種のイベントの勧誘用に好適に用いることができる。
【符号の説明】
【００１６】
１    蓄エネルギ体部
２    ポスター
３    ベース担体（ユポ）
４    通常インク
５    通常インク
６    ベース担体開口部
７    蓄エネルギ体
８    感圧接着材
９    リリースライナ
1０  リリースライナスリット
１１  防水透明体（ｐｐラミネート又はｐｐコート）
１２  インクにより穴を形成された内側の孔
１３  担体（紙）
１４  ＵＶ光線
【図１】
2014106430.tif 000003
【図２】
2014106430.tif 000004
【図３】
2014106430.tif 000005
【図４】
2014106430.tif 000006
【図５】
2014106430.tif 000007
【図６】
2014106430.tif 000008
【図７】
2014106430.tif 000009
【図８】
2014106430.tif 000010